(57)【要約】  【課題】  複数の医療用チューブを設置して処置する際に、チューブ同士が絡まってラインの選別を誤ってしまう可能性がある。また、チューブの長さが異なることから、たるみが大きいチューブは、床面と接触して汚染される恐れがあり、逆にたるみが小さいチューブは、過大なテンションによって、接続部が外れる恐れがある。    【解決手段】チューブフォルダ１は、第一のチューブ１０１を保持する第一チューブ嵌合孔１０２と、第二のチューブ１０３を保持する第二チューブ嵌合孔１０４とが規則的に配列した、外観板状体であって、前記各チューブ嵌合孔は、互いに対向する縁部１０５、１０６近傍１０５A,１０６Aにおいて交互に配列されている。  【選択図】  図１
2005144063.tif 000002
【特許請求の範囲】
【請求項１】
第一のチューブを嵌合する第一チューブ嵌合孔と、第二のチューブを嵌合する第二チューブ嵌合孔とが規則的に配列しているチューブフォルダ。
【請求項２】
前記チューブフォルダは、外観板状体であって、前記各チューブ嵌合孔は、互いに対向する縁部近傍において交互に配列されている請求項1に記載のチューブフォルダ。
【請求項３】
前記第一チューブ嵌合孔と、第二チューブ嵌合孔とは、少なくとも２つの対において互いに連通している請求項1又は２に記載のチューブフォルダ。
【請求項４】
前記チューブフォルダは、可撓性を有する請求項１乃至３のいずれかに記載のチューブフォルダ。
【請求項５】
前記チューブフォルダは、カードリングを備える請求項１乃至４のいずれかに記載のチューブフォルダ。
【発明の詳細な説明】
【技術分野】
【０００１】
輸液または輸血または体外血液循環等を行う際に、使用される複数の医療用チューブの姿勢を規制する補助具に関する。
【背景技術】
【０００２】
集中治療室で治療を受ける患者は、自ら栄養補給することができず、また、様々な臓器の機能が低下している。このため、多種の医薬品を同時に投与する必要がある。
例えば、栄養補給のため、高カロリー輸液を、輸液ラインを介して中心静脈に投与する。この輸液ラインには複数の三方活栓が組込まれており、メインラインとして使用する。そして、複数の三方活栓には、持続的に側注するための側注ラインが接続される。側注ラインは、急性循環不全改善剤、心収縮力増強剤、冠動脈拡張剤、降圧利尿剤、およびカリウム補給剤など、多数の医薬品の投与に使用され、それに応じて、多数の側注ラインが接続される。さらに、末梢静脈にも医薬品を投与する。末梢静脈では、例えば、電解質輸液の輸液ラインをメインラインとして、加熱人血漿蛋白、抗真菌剤、全身麻酔剤、および脂肪乳剤などが持続的に側注される。
この一例では、一人の患者に対し、１２本以上の医療用チューブが接続されることになる。
【特許文献１】特開２００１−２３８９４９
【発明の開示】
【発明が解決しようとする課題】
【０００３】
上記のように、複数の医療用チューブを接続して治療する際に、チューブ同士が絡まってラインの識別が困難となり、ラインの切り替えを誤ってしまう可能性がある。また、チューブの長さが異なることから、たるみが大きいチューブは、床面と接触して汚染される恐れがあり、逆にたるみが小さいチューブは、過大なテンションによって、接続部が外れる恐れがある。
【課題を解決するための手段】
【０００４】
本発明は、上記課題に鑑みて鋭意検討してなされた発明であって、
（１）第一のチューブを嵌合する第一チューブ嵌合孔と、第二のチューブを嵌合する第二チューブ嵌合孔とが規則的に配列しているチューブフォルダ。
（２）  前記チューブフォルダは、外観板状体であって、前記各チューブ嵌合孔は、互いに対向する縁部近傍において交互に配列されている（1）に記載のチューブフォルダ。
【０００５】
（３）前記第一チューブ嵌合孔と、第二チューブ嵌合孔とは、少なくとも２つの対において互いに連通している（1）又は（２）に記載のチューブフォルダ。
（４）  前記チューブフォルダは、可撓性を有する（１）乃至（３）のいずれかに記載のチューブフォルダ。
（５）  前記チューブフォルダは、カードリングを備える（１）乃至（４）のいずれかに記載のチューブフォルダ。
【発明の効果】
【０００６】
上記した本発明のチューブフォルダによれば、第一のチューブを嵌合する第一チューブ嵌合孔と、第二のチューブを嵌合する第二チューブ嵌合孔とが規則的に配列しているので、複数の医療用チューブを接続して治療する際に、医療用チューブの姿勢が規制されて規則的に配列することになり、チューブ同士が絡まってラインの識別を誤ることがない。また、各嵌合孔によって医療用チューブの姿勢を規制することができるので、チューブの長さのばらつきを解消することができるので、床面と接触、接続部外れというような問題が生じない。ここにおいて、特許文献１に開示された補助具は、連結された２つの部材同士の連結が外れることを防止するために、２つの部材を同時に保持するもので、本発明のようなチューブ保持を目的としていないため、嵌合孔の配置が本発明とは明らかに異なっている。
【発明を実施するための最良の形態】
【０００７】
以下に、本発明に係るチューブフォルダの実施の形態について図面を参照にしながら説明する。
【０００８】
チューブフォルダ１は、第一のチューブ１０１を保持する第一チューブ嵌合孔１０２と、第二のチューブ１０３を保持する第二チューブ嵌合孔１０４とが規則的に配列した、外観板状体であって、前記各チューブ嵌合孔は、互いに対向する縁部１０５、１０６近傍１０５A,１０６Aにおいて、第一チューブ嵌合孔１０２の一部が解放され、チューブを横側から挿入・嵌合可能な状態で外側交互（ジグザグ状）に配列されている。
【０００９】
そして、前記第一チューブ嵌合孔１０２と、第二チューブ嵌合孔１０４とは、少なくとも２つの対（図では2つ）が各縁部近傍において整列していて、連通部１０７によって互いに連通している。
【００１０】
第一チューブ嵌合孔１０２は、第二チューブ嵌合孔１０４よりもその径が大である。第一チューブ嵌合孔と第一チューブの径との関係は、嵌合できるように、前者の方が、後者よりも小さい。また、第二チューブ嵌合孔と第二チューブの径との関係は、嵌合できるように、前者の方が、後者よりも小さい。
第一チューブ嵌合孔１０２には、第一のチューブ１０１が嵌め込まれ、第二チューブ嵌合孔１０４には、第一のチューブ１０１よりも外径が小さい第二のチューブ１０３が嵌め込まれ、チューブの姿勢が保持・規制される。その結果、外径が異なる複数本の医療用チューブが規則正しく配列することになる。
特に、上記のごとく、各チューブ嵌合孔が対向する縁部において、ジグザグ状に配置していることで、衣服のポケットに入れて持ち運び易いサイズのチューブフォルダにおいても、より多くのチューブを保持することができ、且つ、配列するチューブ同士の距離を適度に離間させることが可能となり、効果的にチューブのからみを防止することが可能となる。
【００１１】
第一チューブ嵌合孔１０２の縁部１０５，１０６よりの部位は、縁部から内側に向けて暫時幅狭となるようなガイド部１０８が開設され、チューブ挿入時に嵌合孔１０２への嵌合操作を実施し易くすることもできる。
チューブフォルダ１を使用時にベッドサイドのバーやポールに固定できるように、図１では、開閉可能なカードリング１０９を設けることもできる。
【００１２】
チューブフォルダ１は、可撓性材料で形成され、比較的柔軟に、変形可能とすることが望ましい。チューブに働くテンションを緩和できるからである。チューブフォルダの材質を可撓性材料として、テンションを緩和しようとするとき、上記のようなチューブ嵌合孔の配列は、テンション緩和を効果的に補助する。すなわち、内側に位置した、第二チューブ嵌合孔と対向する縁部との間の部分１１０が、チューブフォルダを変形させる力を加えたときに支点となって、変形力を吸収することになるからである。
【００１３】
さらに、各嵌合孔付近に各々異なる色調の印を印刷、またはシールを貼付し、その嵌合孔の色分けに対応させて、医薬品も色分けすることで、ラインの識別がより容易になる。
【００１４】
（実施例）
上記チューブフォルダを集中治療室で治療中の患者の輸液ラインに適用した場合を例に説明する。チューブフォルダにカードリングを設けベッドサイドのバーに、２個固定する。その内の１個のチューブフォルダには、中心静脈へ投与される医薬品、例えば、急性循環不全改善剤、心収縮力増強剤、冠動脈拡張剤、降圧剤、およびカリウム補給剤などを側注する医療用チューブを保持、整列させる。また、もう一方のチューブフォルダには末梢静脈へ投与される医薬品、例えば、加熱人血漿蛋白、抗真菌剤、全身麻酔剤、および脂肪乳剤などを側注する医療用チューブを保持、整列させて、チューブの絡まりを防ぎ、ラインの識別を容易にする。これにより、投与する医薬品と側注ラインの識別を誤ってライン切り替えする事故を防ぐことができる。また、各嵌合孔によって医療用チューブの姿勢を規制することができるので、チューブの長さのばらつきを解消することができるので、床面と接触、接続部外れというような問題が生じない。
【００１５】
次に、上記チューブフォルダを血液回路に適用した場合を例に説明する。第一のチューブが、血液回路のメインラインを構成し、第二のチューブが測注ラインを構成する場合、上記チューブフォルダによって、各チューブの姿勢を規制した状態にて、体外血液循環の操作を実施する。これにより、チューブ同士が絡まってラインの選別を誤ることがない。また、各嵌合孔によって医療用チューブの姿勢を規制することができるので、チューブの長さのばらつきを解消することができるので、床面と接触、接続部外れというような問題が生じない。
【００１６】
その他、複数の医療用チューブが使用される処置回路にて上記チューブフォルダは適応可能で、チューブ誤選択や、接続部外れなどが発生する可能性を抑え、より安全性の高い処置環境を実現することに寄与する。
なお、上記チューブフォルダは、各処置回路において設ける数は、必要に応じた個数（２，３・・・個）設けることが望ましく、設置数は、適宜選択することになる。
【産業上の利用可能性】
【００１７】
本発明は、輸液または輸血または体外血液循環等を行う際に、使用される複数の医療用チューブの姿勢を規制し、医療過誤を未然に防ぐための補助具として利用可能である。
【図面の簡単な説明】
【００１８】
【図１】本発明のチューブフォルダを示す図。
【符号の説明】
【００１９】
１０１  第一のチューブ
１０２  第一チューブ嵌合孔
１０３  第二のチューブ
１０４  第二チューブ嵌合孔
１０５、１０６  縁部
１０５A,１０６A  縁部近傍
【図１】
2005144063.tif 000003